(57)【要約】  補助容量バスラインの各駆動信号の、絵素へのデータ信号の書き込みに使用開始される水平期間を含むサイクルから数えて同一番目となるサイクル期間に、２値レベルの一方または両方について、同一番目となるサイクル期間の最初の水平期間から数えて他の駆動信号と異なる水平期間数だけ経過した後の水平期間である特異な水平期間が、絵素へのデータ信号の書き込みに割り当てられている場合に、上記特異な水平期間に絵素に書き込むデータ信号に対応する表示データ（Ｒ、Ｇ、Ｂ）を階調補正して表示ドライバに供給する補正手段（５０）を備えている。
2010038524.tif 000002
【特許請求の範囲】
【請求項１】
複数の補助容量バスラインが、互いに位相がずれているとともに２つずつが互いに逆位相の関係にある、所定相数の、絵素の選択期間における電位が２値レベルからなる駆動信号のいずれか１つによって駆動されるとともに、各上記駆動信号は１フレーム期間ごとにレベル反転され、
各絵素に書き込まれるデータ信号の極性は、１フレームごとに反転されるとともに、各フレームにおいて複数の水平期間ずつ連続して同極性となるように反転される表示装置であって、
上記駆動信号の上記２値レベルを構成するＨｉｇｈレベルとＬｏｗレベルとの各レベルの持続する各期間を１つのサイクル期間として、各上記駆動信号の、絵素へのデータ信号の書き込みに使用開始される水平期間を含むサイクルから数えて同一番目となるサイクル期間に、上記２値レベルのＨｉｇｈレベルどうしとＬｏｗレベルどうしとの一方または両方について、上記同一番目となるサイクル期間の最初の水平期間から数えて他の上記駆動信号と異なる水平期間数だけ経過した後の水平期間である特異な水平期間が、絵素へのデータ信号の書き込みに割り当てられている場合に、上記特異な水平期間に絵素に書き込むデータ信号に対応する表示データを階調補正して表示ドライバに供給する補正手段を備えていることを特徴とする表示装置。
【請求項２】
各絵素は複数の副絵素で構成されているとともに、１つの絵素の上記副絵素のそれぞれは互いに異なる上記補助容量バスラインとの間で形成された補助容量を有していることを特徴とする請求項１に記載の表示装置。
【請求項３】
上記特異な水平期間は、以降に続く他のデータ信号の書き込みを行う水平期間の前に、絵素へのデータ信号の書き込みを行わないダミーの水平期間が設けられていることにより、上記同一番目となるサイクル期間の最初の水平期間から数えて他の上記駆動信号と異なる水平期間数だけ経過した後の水平期間として、絵素へのデータ信号の書き込みに割り当てられていることを特徴とする請求項１または２に記載の表示装置。
【請求項４】
上記補正手段は、表示データを階調補正するときに、上記補正手段に供給される表示データの入力階調に応じた補正を行うことを特徴とする請求項１から３までのいずれか１項に記載の表示装置。
【請求項５】
上記補正手段は、さらに、データ信号を書き込む絵素の表示パネル上での行位置に応じて、データ信号に対応する表示データを階調補正することを特徴とする請求項１から４までのいずれか１項に記載の表示装置。
【請求項６】
上記補正手段は、さらに、各絵素の表示パネル上での列位置に応じて、データ信号に対応する表示データを階調補正することを特徴とする請求項５に記載の表示装置。
【請求項７】
複数の補助容量バスラインを、互いに位相がずれているとともに２つずつが互いに逆位相の関係にある、所定相数の、絵素の選択期間における電位が２値レベルからなる駆動信号のいずれか１つによって駆動するとともに、各上記駆動信号を１フレーム期間ごとにレベル反転させ、
各絵素に書き込まれるデータ信号の極性を、１フレームごとに反転するとともに、各フレームにおいて複数の水平期間ずつ連続して同極性となるように反転する、表示装置の駆動方法であって、
上記駆動信号の上記２値レベルを構成するＨｉｇｈレベルとＬｏｗレベルとの各レベルの持続する各期間を１つのサイクル期間として、各上記駆動信号の、絵素へのデータ信号の書き込みに使用開始される水平期間を含むサイクルから数えて同一番目となるサイクル期間に、上記２値レベルのＨｉｇｈレベルどうしとＬｏｗレベルどうしとの一方または両方について、上記同一番目となるサイクル期間の最初の水平期間から数えて他の上記駆動信号と異なる水平期間数だけ経過した後の水平期間である特異な水平期間が、絵素へのデータ信号の書き込みに割り当てられている場合に、上記特異な水平期間に絵素に書き込むデータ信号に対応する表示データを階調補正して表示ドライバに供給することを特徴とする表示装置の駆動方法。
【請求項８】
各絵素は複数の副絵素で構成されているとともに、１つの絵素の上記副絵素のそれぞれは互いに異なる上記補助容量バスラインとの間で形成された補助容量を有していることを特徴とする請求項７に記載の表示装置の駆動方法。
【請求項９】
上記特異な水平期間は、以降に続く他のデータ信号の書き込みを行う水平期間の前に、絵素へのデータ信号の書き込みを行わないダミーの水平期間が設けられていることにより、上記同一番目となるサイクル期間の最初の水平期間から数えて他の上記駆動信号と異なる水平期間数だけ経過した後の水平期間として、絵素へのデータ信号の書き込みに割り当てられていることを特徴とする請求項７または８に記載の表示装置の駆動方法。
【請求項１０】
表示データを階調補正するときに、供給される表示データの入力階調に応じた補正を行うことを特徴とする請求項７から９までのいずれか１項に記載の表示装置の駆動方法。
【請求項１１】
さらに、データ信号を書き込む絵素の表示パネル上での行位置に応じて、データ信号に対応する表示データを階調補正することを特徴とする請求項７から１０までのいずれか１項に記載の表示装置の駆動方法。
【請求項１２】
さらに、各絵素の表示パネル上での列位置に応じて、データ信号に対応する表示データを階調補正することを特徴とする請求項１１に記載の表示装置の駆動方法。
【請求項１３】
複数の補助容量バスラインが、互いに位相がずれているとともに２つずつが互いに逆位相の関係にある、所定相数の、絵素の選択期間における電位が２値レベルからなる駆動信号のいずれか１つによって駆動されるとともに、各上記駆動信号は１フレーム期間ごとにレベル反転され、
各絵素に書き込まれるデータ信号の極性は、１フレームごとに反転されるとともに、各フレームにおいて複数の水平期間ずつ連続して同極性となるように反転される表示装置の表示駆動を制御する、表示駆動の制御方法であって、
上記駆動信号の上記２値レベルを構成するＨｉｇｈレベルとＬｏｗレベルとの各レベルの持続する各期間を１つのサイクル期間として、各上記駆動信号の、絵素へのデータ信号の書き込みに使用開始される水平期間を含むサイクルから数えて同一番目となるサイクル期間に、上記２値レベルのＨｉｇｈレベルどうしとＬｏｗレベルどうしとの一方または両方について、上記同一番目となるサイクル期間の最初の水平期間から数えて他の上記駆動信号と異なる水平期間数だけ経過した後の水平期間である特異な水平期間が、絵素へのデータ信号の書き込みに割り当てられている場合に、上記特異な水平期間に絵素に書き込むデータ信号に対応する表示データを階調補正して表示ドライバに供給することを特徴とする表示駆動の制御方法。
【請求項１４】
上記特異な水平期間は、以降に続く他のデータ信号の書き込みを行う水平期間の前に、絵素へのデータ信号の書き込みを行わないダミーの水平期間が設けられていることにより、上記同一番目となるサイクル期間の最初の水平期間から数えて他の上記駆動信号と異なる水平期間数だけ経過した後の水平期間として、絵素へのデータ信号の書き込みに割り当てられていることを特徴とする請求項１３に記載の表示駆動の制御方法。
【請求項１５】
表示データを階調補正するときに、供給される表示データの入力階調に応じた補正を行うことを特徴とする請求項１３または１４に記載の表示駆動の制御方法。
【請求項１６】
さらに、データ信号を書き込む絵素の表示パネル上での行位置に応じて、データ信号に対応する表示データを階調補正することを特徴とする請求項１３から１５までのいずれか１項に記載の表示駆動の制御方法。
【請求項１７】
さらに、各絵素の表示パネル上での列位置に応じて、データ信号に対応する表示データを階調補正することを特徴とする請求項１６に記載の表示駆動の制御方法。
【発明の詳細な説明】
【技術分野】
【０００１】
本発明は、複数のＣＳ幹配線から補助容量バスラインに補助容量電圧を印加する表示装置に関する。
【背景技術】
【０００２】
γ特性の視角依存性を改善した液晶表示装置として、マルチ絵素駆動方式の液晶表示装置がある。マルチ絵素駆動においては、輝度の異なる２つ以上の副絵素によって１つの絵素を構成することにより、視野角特性すなわちγ特性の視角依存性を改善する。【０００３】
図７に、このようなマルチ絵素駆動方式の液晶表示装置が備える絵素の構成例を示す（例えば特許文献１参照）。【０００４】
１つの絵素Ｐは２つの副絵素ｓｐ１、ｓｐ２に分割されている。副絵素ｓｐ１は、ＴＦＴ１６ａ、副絵素電極１８ａ、および、補助容量２２ａを備えており、副絵素ｓｐ２は、ＴＦＴ１６ｂ、副絵素電極１８ｂ、および、補助容量２２ｂを備えている。【０００５】
ＴＦＴ１６ａおよびＴＦＴ１６ｂのそれぞれのゲ−ト電極は互いに共通のゲートバスラインＧＬに接続され、ソース電極は互いに共通のソースバスラインＳＬに接続されている。補助容量２２ａは副絵素電極１８ａと補助容量バスラインＣｓＬ１との間で形成されており、補助容量２２ｂは副絵素電極１８ｂと補助容量バスラインＣｓＬ２との間で形成されている。補助容量バスラインＣｓＬ１は、上記ゲートバスラインＧＬとの間に副絵素ｓｐ１の領域を挟んでゲートバスラインＧＬと平行に延びるように設けられている。補助容量バスラインＣｓＬ２は、上記ゲートバスラインＧＬとの間に副絵素ｓｐ２の領域を挟んでゲートバスラインＧＬと平行に延びるように設けられている。【０００６】
また、各絵素Ｐの補助容量バスラインＣｓＬ１は、当該補助容量バスラインＣｓＬ１を挟んで当該絵素Ｐに隣接する絵素Ｐの副絵素ｓｐ２が補助容量２２ｂを形成するための補助容量バスラインＣｓＬ２を兼ねており、各絵素Ｐの補助容量バスラインＣｓＬ２は、当該補助容量バスラインＣｓＬ２を挟んで当該絵素Ｐに隣接する絵素Ｐの副絵素ｓｐ１が補助容量２２ａを形成するための補助容量バスラインＣｓＬ１を兼ねている。【０００７】
図８および図９を用いて、マルチ絵素駆動方式の表示パネルにおける補助容量バスラインＣｓＬ１・ＣｓＬ２の駆動方法を説明する。【０００８】
図８に示すように、表示領域であるアクティブエリアＡＡに交互に配置された補助容量バスラインＣｓＬ（ＣｓＬ１とＣｓＬ２とを区別しないときにＣｓＬと総称する）は、アクティブエリアＡＡに隣接する領域に配置されたＣＳ幹配線ｂｂに接続されている。ＣＳ幹配線ｂｂは複数本で１組のＣＳ幹配線群ＢＢを構成している。このＣＳ幹配線群ＢＢは、アクティブエリアＡＡに対して補助容量バスラインＣｓＬが延びる方向の所定側となる一端側に隣接する領域のみに、すなわち片側の領域のみに１組だけ設けられている、あるいは、アクティブエリアＡＡに対して補助容量バスラインＣｓＬが延びる方向の所定側となる一端側に隣接する領域と他端側に隣接する領域とのそれぞれに、すなわち両側の領域に１組ずつ設けられている。【０００９】
ＣＳ幹配線群ＢＢが片側の領域のみに設けられている場合には、補助容量バスラインＣｓＬの上記所定側の一端はＣＳ幹配線ｂｂに接続されている。ＣＳ幹配線群ＢＢが両側の領域に設けられている場合には、補助容量バスラインＣｓＬの上記所定側の一端は、当該一端側に隣接する領域のＣＳ幹配線ｂｂに接続されており、補助容量バスラインＣｓＬの他端は、当該他端側に隣接する領域のＣＳ幹配線ｂｂに接続されている。ＣＳ幹配線ｂｂは補助容量バスラインＣｓＬ１・ＣｓＬ２の延びる方向に直交する方向、すなわちソースバスラインＳＬの延びる方向に延びている。【００１０】
図８では、１２本のＣＳ幹配線ｂｂ…からなるＣＳ幹配線群ＢＢが両方の領域に設けられた例が示されている。各補助容量バスラインＣｓＬは、各ＣＳ幹配線群ＢＢの１本のＣＳ幹配線ｂｂに接続されている。連続して配置された１２本（ＣＳ幹配線群ＢＢを構成するＣＳ幹配線ｂｂの本数ｎ（ｎは偶数）に等しい）の補助容量バスラインＣｓＬ…は、各ＣＳ幹配線群ＢＢの中の互いに異なるＣＳ幹配線ｂｂに接続されており、この接続関係が補助容量バスライン１２本（すなわちｎ本）ごとに繰り返されている。【００１１】
ＣＳ幹配線群ＢＢが片方の領域にのみ設けられている場合には、連続して配置されたｎ本の補助容量バスラインＣｓＬ…は、当該ＣＳ幹配線群ＢＢの中の互いに異なるＣＳ幹配線ｂｂに接続されており、この接続関係が補助容量バスラインｎ本ごとに繰り返される。【００１２】
そして、ＣＳ幹配線群ＢＢが片方の領域にのみ設けられる場合にも、両方の領域に設けられる場合にも、連続して配置されたｎ本の補助容量バスラインＣｓＬ…のそれぞれには、図９に示すような個別の補助容量電圧が印加される。補助容量電圧Ｖｃｓ（図ではＶｃｓ１、Ｖｃｓ２、…）は、奇数ラインにある同じ絵素Ｐの副絵素ｓｐ１・ｓｐ２に対応する補助容量バスラインＣｓＬ１・ＣｓＬ２どうしで、同じレベル変化タイミングおよび同じ周期で振動する２値レベルからなる波形を有している。そして、この対をなす補助容量電圧Ｖｃｓが、奇数ライン間で位相が徐々にずれた状態にｎ／２組だけ設定されている。奇数ラインのゲートパルスＶｇ（図ではＶｇ１、Ｖｇ３、…）は、補助容量電圧Ｖｃｓの一定期間にパルス期間を有するとともに、補助容量電圧Ｖｃｓの立ち上がりまたは立ち下がりのタイミングにパルス期間の終了タイミングを有する。【００１３】
これにより、まず奇数ラインの絵素Ｐにデータ信号が書き込まれ、データ信号の書き込み後における補助容量電圧Ｖｃｓの変化により、同じデータ信号が書き込まれた絵素Ｐの２つの副絵素ｓｐ１・ｓｐ２の絵素電極電位に、ゲートバスラインＧＬと絵素電極との間の容量を介した引き込み（feed through）現象によって異なる電位変位量ΔＶが加算される。従って、当該副絵素ｓｐ１・ｓｐ２どうしで輝度が異なることとなり、補助容量電圧Ｖｃｓの１フレーム期間を通した液晶印加電圧の実効値による平均輝度は、絵素Ｐ全体のγ特性を広い視野角範囲で適正なものとする。【００１４】
奇数ラインの走査の後に偶数ラインの走査が行われ、その際の同じ絵素Ｐに属する副絵素ｓｐ１・ｓｐ２に印加される補助容量電圧Ｖｃｓは奇数ラインのように同じレベル変化タイミングを有するようには対をなしていないが、ゲートパルス終了後の最初の絵素電極の電位変化としては奇数ラインと同様のものが得られるので、やはりγ特性の改善が行われる。【００１５】
上記の補助容量電圧Ｖｃｓの波形および走査の仕方は一例であり、副絵素ｓｐ１・ｓｐ２間で輝度を、互いに異なる補助容量電圧Ｖｃｓの電圧変化によって異ならせて、絵素Ｐ全体のγ特性を改善するところが主要な技術内容である。【００１６】
このような補助容量電圧ＶｃｓはＣＳ幹配線ｂｂを介して供給されるので、各ＣＳ幹配線群ＢＢの異なるＣＳ幹配線ｂｂには異なる補助容量電圧Ｖｃｓが印加されるようになっている。従って、ＣＳ幹配線群ＢＢにはＣＳ幹配線ｂｂの本数分の相数を有する補助容量電圧ＶｃｓがＣＳドライバ（図示せず）から供給される。図９は１２相の補助容量電圧Ｖｃｓを供給する例を示している。また、図８のようにアクティブエリアＡＡの両側にＣＳ幹配線群ＢＢが配置される場合には、同じ補助容量バスラインＣｓＬに接続された２つのＣＳ幹配線群ＢＢのＣＳ幹配線ｂｂには同じ補助容量電圧Ｖｃｓが印加される。このようにアクティブエリアＡＡの両側から補助容量電圧Ｖｃｓを供給することで、大きなサイズの液晶画面において、補助容量電圧Ｖｃｓが配線遅延によってアクティブエリアＡＡの異なる場所間で波形が異なることを抑制することができる。
【先行技術文献】
【特許文献】
【００１７】
【特許文献１】日本国公開特許公報２００４−６２１４６号（２００４年２月２６日公開）
【特許文献２】日本国公開特許公報２００５−１５６６６１号（２００５年６月１６日公開）
【特許文献３】国際公開第ＷＯ２００５／０７３９５３号パンフレット（２００５年８月１１日公開）
【特許文献４】日本国公開特許公報２００２−２３６４７４号（２００２年８月２３日公開）
【発明の概要】
【発明が解決しようとする課題】
【００１８】
しかしながら、従来のＣＳ幹配線ｂｂを用いたマルチ絵素駆動方式の液晶表示装置では、図１０に示すように、１つのＣＳ幹配線群ＢＢが複数のＣＳ幹配線ｂｂ…を備えているので、アクティブエリアＡＡから各ＣＳ幹配線ｂｂ…までの距離ｄが互いに異なっている。ＣＳ幹配線ｂｂには例えばソースメタルが、補助容量バスラインＣｓＬには例えばゲートメタルが用いられるといったように、ＣＳ幹配線ｂｂと補助容量バスラインＣｓＬとは互いに異なるレイヤーのメタル層を用いて構成されている。そして、補助容量バスラインＣｓＬは、ＣＳ幹配線群ＢＢ上の絶縁膜で隔てられた領域を横切り、対応するＣＳ幹配線ｂｂに、当該絶縁膜中に設けられたコンタクトホール１５０を介して接続されている。【００１９】
従って、アクティブエリアＡＡから遠いＣＳ幹配線ｂｂに接続された補助容量バスラインＣｓＬほど、アクティブエリアＡＡからＣＳ幹配線ｂｂとの接続箇所（コンタクトホール１５０）までの距離ｄを表すフィード部Ｆの長さが大きくなり、それだけ配線抵抗が大きくなる。ＣＳ幹配線は１２本といった程度の少ない本数であるが、補助容量バスラインＣｓＬは例えば千オーダーの非常に多い本数であるので、補助容量バスラインＣｓＬはＣＳ幹配線ｂｂよりも配線幅を非常に小さくせざるを得ない。【００２０】
そして、補助容量バスラインＣｓＬに印加されている補助容量電圧Ｖｃｓは、絵素電極電位の影響を受けて変動するので、上記のようにフィード部Ｆの長さに差があると、変動した補助容量電圧Ｖｃｓのリップル電圧の、補助容量バスラインＣｓＬ上のアクティブエリアＡＡ端部における減衰量に、補助容量バスラインＣｓＬ間で差が生じることとなる。図１１に、このリップル電圧の減衰の差を示す。実線で示す波形１０１は、外側のＣＳ幹配線ｂｂに接続されたフィード部Ｆを有する補助容量バスラインＣｓＬ、すなわちアクティブエリアＡＡからＣＳ幹配線ｂｂまでの距離ｄが大きいフィード部Ｆを有する補助容量バスラインＣｓＬの、当該フィード部Ｆ側のアクティブエリアＡＡ端部における補助容量電圧Ｖｃｓの波形を示す。破線で示す波形１０２は、内側のＣＳ幹配線ｂｂに接続されたフィード部Ｆを有する補助容量バスラインＣｓＬ、すなわちアクティブエリアＡＡからＣＳ幹配線ｂｂまでの距離ｄが小さいフィード部Ｆを有する補助容量バスラインＣｓＬの、当該フィード部Ｆ側のアクティブエリアＡＡ端部における補助容量電圧Ｖｃｓの波形を示す。波形１０１におけるリップル電圧は波形１０２におけるリップル電圧よりも大きい。【００２１】
このように補助容量バスラインＣｓＬによって補助容量電圧Ｖｃｓのリップル電圧の大きさが異なっていると、図８に示すように、アクティブエリアＡＡ端部でのリップル電圧が補助容量バスラインＣｓＬの配置に応じて分布を有することとなる。この結果、アクティブエリアＡＡ端部付近の副絵素ｓｐ１・ｓｐ２の各輝度、従って絵素Ｐの輝度に分布が生じてしまい、画面に横筋が視認されるなどの第１の問題が生じていた。【００２２】
一方、液晶表示装置において、液晶層に対して長期間直流電圧を印加し続けると素子が劣化するので、長寿命化のために印加電圧の極性を周期的に反転させる交流駆動（反転駆動）を行う必要がある。しかしながら、アクティブマトリクス型液晶表示装置において、１フレーム毎に反転駆動するフレーム反転駆動方式を採用した場合、液晶誘電率の異方性、画素ＴＦＴのゲート・ソース間の寄生容量に起因する画素電位の変動、対向電極信号のセンター値のずれなどの種々の要因によって、液晶に印加される正負電圧に多少のアンバランスが生じることは避けられない。その結果、フレーム周波数の半分の周波数での微少な輝度変動が生じ、フリッカとよばれるちらつきが視認されるという問題がある。これを防ぐために、１フレーム毎の反転に加えて、隣接ライン間、または隣接画素間で画素信号を逆極性にする反転駆動方式が一般に採用されている。【００２３】
ここで、画素単位で極性を反転させるドット反転を行う場合、１水平期間ごとに各データ信号線を異なる極性のデータ信号によって再充電することになるため、データ信号線の信号遅延により画素の充電率が減少するという問題がある。この問題を抑制するために、複数水平期間毎（複数行毎）にデータ信号電圧の極性を反転する技術も提案されている。このような複数水平期間毎にデータ信号電圧の極性を反転する駆動方法をブロック反転駆動と呼ぶ。【００２４】
図１２に、マルチ絵素駆動方式の液晶表示装置において倍速駆動によりブロック反転駆動を行う場合の、ＣＳ幹配線ｂｂと補助容量バスラインＣｓＬとの接続関係の例を、また、図１３にその駆動波形を示す。【００２５】
図１２において、ＣＳ幹配線群ＢＢについてはアクティブエリアＡＡに対して片側のみを示すが、両側にある場合にはもう一方側のＣＳ幹配線群ＢＢも同様の構成である。この例ではＣＳ幹配線ｂｂはｂｂ１〜ｂｂ１２（図中「ｂｂ」の矢印側の数字に対応）までの１２本ある。また、絵素ＰＩＸは列方向にＰＩＸ１、ＰＩＸ２、ＰＩＸ３、…（図中「ＰＩＸ」の矢印側の数字に対応）と並んでおり、各列がＲＧＢごとに設けられている。各絵素は２本の補助容量バスラインＣｓＬに接続されており、各補助容量バスラインＣｓＬが１つの副絵素ｓｐに接続されている。また、互いに隣接する２つの絵素ＰＩＸの境界を挟む２つの副絵素ｓｐは、同じ補助容量バスラインＣｓＬを共有している。図１２では、ＲＧＢのそれぞれについて、絵素ＰＩＸ１の副絵素ｓｐａ１はＣＳ幹配線ｂｂ１に接続されており、絵素ＰＩＸ１の副絵素ｓｐｂ１および絵素ＰＩＸ２の副絵素ｓｐａ２はＣＳ幹配線ｂｂ２に接続されている、といった具合に順次副絵素ｂｂがＣＳ幹配線ｂｂに接続されている。【００２６】
また、絵素ＰＩＸ２５〜ＰＩＸ４８については、絵素ＰＩＸ１〜ＰＩＸ２４とは副絵素ｓｐａの接続されるＣＳ幹配線ｂｂと副絵素ｓｐｂの接続されるＣＳ幹配線ｂｂとが互いに入れ替わっている。そして、このような４８個の絵素ＰＩＸの組からなる単位が画面の走査方向に向って繰り返し配置されている。繰り返し配置数は、例えば走査線数が１０８０のときに２２であって、全体のパターンはこの繰り返しパターンにさらにＰＩＸ１〜ＰＩＸ２４と同じ接続パターンが付加されたものとなる。なお、絵素ＰＩＸ１の走査方向の１つ上流側には、ＣＳ幹配線ｂｂ１１に接続された副絵素ｓｐａ０と、副絵素ｓｐａ１と補助容量バスラインＣｓＬを共有する副絵素ｓｐｂ０とを備えたダミー絵素ＰＩＸ０が設けられており、他の４８個の絵素ＰＩＸの組と境界条件が等しくなるようにしている。また、図示しないが、末尾の例えば絵素ＰＩＸ１０８０の走査方向の１つ下流側には、副絵素ｓｐｂ１０８０と補助容量バスラインＣｓＬを共有する副絵素ｓｐａ１０８１と、ＣＳ幹配線ｂｂ１に接続された副絵素ｓｐｂ１０８１とを備えたダミー絵素ＰＩＸ１０８１が設けられており、４８個の絵素ＰＩＸからなる組と境界条件が等しくなるようにしている。【００２７】
図１２において、ブロック反転駆動を行うとき、例えば、まず偶数行の絵素ＰＩＸ２・ＰＩＸ４・…・ＰＩＸ４８を順次走査して正極性のデータ信号を供給し、続いて奇数行の絵素ＰＩＸ１・ＰＩＸ３・…・ＰＩＸ４９・…・ＰＩＸ９５を順次走査して負極性のデータ信号を供給し、続いて偶数行の絵素ＰＩＸ５０・ＰＩＸ５２・…・ＰＩＸ９６・…・ＰＩＸ１４４を順次走査して正極性のデータ信号を供給する、といった具合に、最初は１行おきに２４行分の絵素からなるブロックに互いに同極性のデータ信号を書き込み、その後は、１行おきの４８行分からなるブロックの絵素に互いに同極性であって前のブロックに対しては逆極性となるデータ信号を、ブロックごとに偶数行と奇数行との位置を入れ替えながら書き込んでいく。１フレームの最後のブロックは末尾の１行おきの２４行分の絵素にデータ信号を書き込んだ後に、続いて同極性のデータ信号を先頭の１行おきの２４行分の絵素に書き込む。このとき、先頭の１行おきの２４行分の絵素のデータ信号の極性は、前回の書き込みに対して逆極性となっている。こうして、１フレームごとに各ブロックの絵素に書き込むデータ信号の極性は反転される。【００２８】
このとき、ＣＳ幹配線ｂｂに印加される補助容量電圧として、図１３に示すように、互いに位相が反対の２つの２値レベル波形からなる駆動信号対が６対分（合計で１２相分）だけ用意されている。この例では１つの駆動信号対が互いに隣接する２つのＣＳ幹配線ｂｂの駆動信号で構成されており、ＣＳ幹配線ｂｂ１・ｂｂ２の組からＣＳ幹配線ｂｂ１１・ｂｂ１２の組のほうへ向って順に、駆動信号ＣＳ１・ＣＳ２の対、駆動信号ＣＳ３・ＣＳ４の対、…、駆動信号ＣＳ１１・ＣＳ１２の対が対応している。垂直帰線期間ＶＢを除く期間における横軸の数字はデータ信号の供給先の行番号を示しており、１つの数字が１水平期間に対応している。垂直帰線期間ＶＢは、例えば期間１’〜８’の８水平期間分（８クロック分）に相当する期間に設定されている。各駆動信号は１つのＣＳ幹配線ｂｂに割り当てられており、各駆動信号対は互いに位相がずれており、ここでは、駆動信号ＣＳ１・ＣＳ２の対から駆動信号ＣＳ１１・ＣＳ１２の対のほうへ向うにつれて、２水平期間分ずつ遅れていくように位相がずれている。【００２９】
各駆動信号は、Ｈｉｇｈレベルの持続するＨｉｇｈレベル期間と、Ｌｏｗレベルの持続するＬｏｗレベル期間とを交互に繰り返す。上記の各Ｈｉｇｈレベル期間と各Ｌｏｗレベル期間とを、それぞれ１サイクル期間とする。ＨｉｇｈレベルとＬｏｗレベルとの中間位置はコモン電圧である。また、１フレームごとにＨｉｇｈレベルとＬｏｗレベルとが入れ替わる。しかし、交流駆動においては、データ信号の極性が変化するときに新たな極性となるデータ信号線は充電率が悪化する傾向にあるため、ＤＨ１で示すように、データ信号の極性が切り替わった直後にダミーの水平期間を設けるようにしている。ダミーの水平期間ＤＨ１は、極性が切り替わった直後の最初のデータ信号がデータ信号線を十分に充電するための付加期間として、当該データ信号が書き込まれる絵素ＰＩＸの選択期間の前に設けられている。図１３の例では、絵素ＰＩＸ１のデータ信号の選択期間の前に、選択信号が出力されない２水平期間が付加されている。【００３０】
ダミーの水平期間は、極性が変化する度に設けられる必要があるが、１フレームの最後の極性反転は、そのフレームの最初の極性反転と、正→負あるいは負→正といった極性の変化する方向が同じになるため、１フレーム期間において一方の極性の保持期間のほうが長くなる。さらに、補助容量バスラインＣＳＬの駆動信号は１フレームごとに反転するため、ダミーの水平期間が設けられる期間の、補助容量バスラインＣＳＬの駆動信号のレベルが１フレームごとに入れ替わる。従って、このままでは補助容量バスラインＣＳＬを駆動したときの各フレームの液晶印加電圧の実効値が正極性と負極性とで等しくならない。【００３１】
従って、両極性間で実効値を等しくするのに、各極性のデータ信号が供給されている期間において、補助容量バスラインＣＳＬの駆動信号の、ダミーの水平期間における極性とは逆極性のレベルの期間を、ダミーの水平期間と同じ長さだけさらに延長することにより、両極性間の実効値を等しくする。図１３では、ダミーの水平期間ＤＨ７３で示されるようなもう１つのダミーの水平期間を設けてある。また、１フレームの最初の極性の期間と最後の極性の期間とはそれぞれ２４行分ずつの書き込みを行う期間であって極性が互いに逆であるので、最初と最後との各極性期間には、ダミーの水平期間の他にもう１つのダミーの水平期間を、その駆動信号の逆極性レベルの期間内に設ける。図１３では最初の極性期間において、ダミーの水平期間ＤＨ２６ともう１つのダミーの水平期間ＤＨ２が設けられている。図１３では図示しないが、最後の極性期間にも同様の期間が設けられている。【００３２】
図１３において、各行の絵素ＰＩＸにデータ信号が書き込まれていくときに、１つの絵素ＰＩＸに供給される補助容量バスラインＣＳＬの駆動信号の組み合わせを、図中楕円で示した。同じ水平期間に１つの楕円で結合されているように示されている組み合わせと、同じ水平期間に存在する２つの楕円で示される組み合わせとが図示されている。【００３３】
上述したように、ダミーの水平期間を設けた場合に、ダミーの水平期間の前にデータ信号の書き込みが行われる例えば絵素ＰＩＸ２４や絵素ＰＩＸ４８については、絵素ＰＩＸ２４に使用される駆動信号ＣＳ２や絵素ＰＩＸ４８に使用される駆動信号ＣＳ１が、その駆動信号の直前のレベル反転が生じてから８水平期間後のものであり、他の絵素ＰＩＸ、例えば直前のレベル反転から１０水平期間後であるＰＩＸ２８に使用される駆動信号ＣＳ４よりもレベル反転後の経過期間が短い。【００３４】
これにより、絵素ＰＩＸ２４や絵素ＰＩＸ４８のデータ信号の書き込みタイミングでは、絵素ＰＩＸ２４や絵素ＰＩＸ４８と連続して各絵素へのデータ信号の書き込みに用いられる水平期間を含む、駆動信号ＣＳ１・ＣＳ３・…・ＣＳ１１のＨｉｇｈレベル期間および駆動信号ＣＳ２・ＣＳ４・…・ＣＳ１２のＬｏｗレベル期間である同一サイクル期間において、補助容量電圧の位相反転を考慮した場合の絵素電極電位に対する有効期間が他の行の絵素ＰＩＸと不連続に異なってしまう。従って、補助容量電圧の駆動による液晶印加電圧の実効値が、他の絵素ＰＩＸと揃わない。また、補助容量バスラインＣＳＬの充電率も他の絵素ＰＩＸより小さく、これが実効値のずれをさらに助長する。この結果、同一サイクル期間で上記のような特異な水平期間でデータ信号の書き込みが行われる行の絵素ＰＩＸは、他の絵素ＰＩＸと輝度が異なることとなり、均一なグレー表示を行ったとしても、図１４に示すような筋状の模様が生じてしまうという問題がある。【００３５】
本発明は、上記従来の問題点に鑑みなされたものであり、その目的は、複数の相の駆動信号により補助容量バスラインが駆動される表示装置であって、特異な水平期間でデータ信号が絵素に書き込まれても、筋状の模様が生じるのを回避することのできる表示装置、表示装置の駆動方法、および、表示駆動の制御方法を実現することにある。
【課題を解決するための手段】
【００３６】
本発明の表示装置は、上記課題を解決するために、複数の補助容量バスラインが、互いに位相がずれているとともに２つずつが互いに逆位相の関係にある、所定相数の、絵素の選択期間における電位が２値レベルからなる駆動信号のいずれか１つによって駆動されるとともに、各上記駆動信号は１フレーム期間ごとにレベル反転され、各絵素に書き込まれるデータ信号の極性は、１フレームごとに反転されるとともに、各フレームにおいて複数の水平期間ずつ連続して同極性となるように反転される表示装置であって、上記駆動信号の上記２値レベルを構成するＨｉｇｈレベルとＬｏｗレベルとの各レベルの持続する各期間を１つのサイクル期間として、各上記駆動信号の、絵素へのデータ信号の書き込みに使用開始される水平期間を含むサイクルから数えて同一番目となるサイクル期間に、上記２値レベルのＨｉｇｈレベルどうしとＬｏｗレベルどうしとの一方または両方について、上記同一番目となるサイクル期間の最初の水平期間から数えて他の上記駆動信号と異なる水平期間数だけ経過した後の水平期間である特異な水平期間が、絵素へのデータ信号の書き込みに割り当てられている場合に、上記特異な水平期間に絵素に書き込むデータ信号に対応する表示データを階調補正して表示ドライバに供給する補正手段を備えていることを特徴としている。【００３７】
上記の発明によれば、補正手段によって表示データを階調補正することにより、特異な水平期間に絵素に書き込むデータ信号に対応する表示データが階調補正される。これにより、上記特異な水平期間にデータ信号が書き込まれた絵素の液晶印加電圧の実効値を、補助容量バスラインの各駆動信号の同一番目となるサイクル期間にデータ信号が書き込まれる他の絵素とほぼ揃えることができる。従って、表示パネルに均一なグレー表示を行った場合に、全ての絵素の輝度をほぼ揃えることができる。【００３８】
以上により、複数の相の駆動信号により補助容量バスラインが駆動される表示装置であって、特異な水平期間でデータ信号が絵素に書き込まれても、筋状の模様が生じるのを回避することのできる表示装置を実現することができるという効果を奏する。【００３９】
本発明の表示装置は、上記課題を解決するために、各絵素は複数の副絵素で構成されているとともに、１つの絵素の上記副絵素のそれぞれは互いに異なる上記補助容量バスラインとの間で形成された補助容量を有していることを特徴としている。【００４０】
上記の発明によれば、筋状の模様が解消されることにより、複数の副絵素を用いた階調反転現象の広視覚範囲での改善を正確に行うことができるという効果を奏する。【００４１】
本発明の表示装置は、上記課題を解決するために、上記特異な水平期間は、以降に続く他のデータ信号の書き込みを行う水平期間の前に、絵素へのデータ信号の書き込みを行わないダミーの水平期間が設けられていることにより、上記同一番目となるサイクル期間の最初の水平期間から数えて他の上記駆動信号と異なる水平期間数だけ経過した後の水平期間として、絵素へのデータ信号の書き込みに割り当てられていることを特徴としている。【００４２】
上記の発明によれば、ダミーの水平期間によって、極性が反転したデータ信号によるデータ信号線の充電率を十分に確保しながら、筋状の模様を解消することができるという効果を奏する。【００４３】
本発明の表示装置は、上記課題を解決するために、上記補正手段は、表示データを階調補正するときに、上記補正手段に供給される表示データの入力階調に応じた補正を行うことを特徴としている。【００４４】
上記の発明によれば、筋状の模様が強調されやすい入力階調を特に大きく補正することにより、筋状の模様を特に良好に解消することができるという効果を奏する。【００４５】
本発明の表示装置は、上記課題を解決するために、上記補正手段は、さらに、データ信号を書き込む絵素の表示パネル上での行位置に応じて、データ信号に対応する表示データを階調補正することを特徴としている。【００４６】
上記の発明によれば、補助容量バスラインのＣＳ幹配線に接続されるまでの距離ごとに階調補正を行うことができるので、列方向のグラデーションを解消することができるという効果を奏する。【００４７】
本発明の表示装置は、上記課題を解決するために、上記補正手段は、さらに、各絵素の表示パネル上での列位置に応じて、データ信号に対応する表示データを階調補正することを特徴としている。【００４８】
上記の発明によれば、同じ行に発生するグラデーションを、表示パネル上の各位置のＣＳ幹配線からの距離に応じて発生することを解消することができるという効果を奏する。【００４９】
本発明の表示装置の駆動方法は、上記課題を解決するために、複数の補助容量バスラインを、互いに位相がずれているとともに２つずつが互いに逆位相の関係にある、所定相数の、絵素の選択期間における電位が２値レベルからなる駆動信号のいずれか１つによって駆動するとともに、各上記駆動信号を１フレーム期間ごとにレベル反転させ、各絵素に書き込まれるデータ信号の極性を、１フレームごとに反転するとともに、各フレームにおいて複数の水平期間ずつ連続して同極性となるように反転する、表示装置の駆動方法であって、上記駆動信号の上記２値レベルを構成するＨｉｇｈレベルとＬｏｗレベルとの各レベルの持続する各期間を１つのサイクル期間として、各上記駆動信号の、絵素へのデータ信号の書き込みに使用開始される水平期間を含むサイクルから数えて同一番目となるサイクル期間に、上記２値レベルのＨｉｇｈレベルどうしとＬｏｗレベルどうしとの一方または両方について、上記同一番目となるサイクル期間の最初の水平期間から数えて他の上記駆動信号と異なる水平期間数だけ経過した後の水平期間である特異な水平期間が、絵素へのデータ信号の書き込みに割り当てられている場合に、上記特異な水平期間に絵素に書き込むデータ信号に対応する表示データを階調補正して表示ドライバに供給することを特徴としている。【００５０】
上記の発明によれば、表示データを階調補正することにより、特異な水平期間に絵素に書き込むデータ信号に対応する表示データが階調補正される。これにより、上記特異な水平期間にデータ信号が書き込まれた絵素の液晶印加電圧の実効値を、補助容量バスラインの各駆動信号の同一番目となるサイクル期間にデータ信号が書き込まれる他の絵素とほぼ揃えることができる。従って、表示パネルに均一なグレー表示を行った場合に、全ての絵素の輝度をほぼ揃えることができる。【００５１】
以上により、複数の相の駆動信号により補助容量バスラインが駆動される表示装置の駆動方法であって、特異な水平期間でデータ信号が絵素に書き込まれても、筋状の模様が生じるのを回避することのできる表示装置の駆動方法を実現することができるという効果を奏する。【００５２】
本発明の表示装置の駆動方法は、上記課題を解決するために、各絵素は複数の副絵素で構成されているとともに、１つの絵素の上記副絵素のそれぞれは互いに異なる上記補助容量バスラインとの間で形成された補助容量を有していることを特徴としている。【００５３】
上記の発明によれば、筋状の模様が解消されることにより、複数の副絵素を用いた階調反転現象の広視覚範囲での改善を正確に行うことができるという効果を奏する。【００５４】
本発明の表示装置の駆動方法は、上記課題を解決するために、上記特異な水平期間は、以降に続く他のデータ信号の書き込みを行う水平期間の前に、絵素へのデータ信号の書き込みを行わないダミーの水平期間が設けられていることにより、上記同一番目となるサイクル期間の最初の水平期間から数えて他の上記駆動信号と異なる水平期間数だけ経過した後の水平期間として、絵素へのデータ信号の書き込みに割り当てられていることを特徴としている。【００５５】
上記の発明によれば、ダミーの水平期間によって、極性が反転したデータ信号によるデータ信号線の充電率を十分に確保しながら、筋状の模様を解消することができるという効果を奏する。【００５６】
本発明の表示装置の駆動方法は、上記課題を解決するために、表示データを階調補正するときに、供給される表示データの入力階調に応じた補正を行うことを特徴としている。【００５７】
上記の発明によれば、筋状の模様が強調されやすい入力階調を特に大きく補正することにより、筋状の模様を特に良好に解消することができるという効果を奏する。【００５８】
本発明の表示装置の駆動方法は、上記課題を解決するために、さらに、データ信号を書き込む絵素の表示パネル上での行位置に応じて、データ信号に対応する表示データを階調補正することを特徴としている。【００５９】
上記の発明によれば、補助容量バスラインのＣＳ幹配線に接続されるまでの距離ごとに階調補正を行うことができるので、列方向のグラデーションを解消することができるという効果を奏する。【００６０】
本発明の表示装置の駆動方法は、上記課題を解決するために、さらに、各絵素の表示パネル上での列位置に応じて、データ信号に対応する表示データを階調補正することを特徴としている。【００６１】
上記の発明によれば、同じ行に発生するグラデーションを、表示パネル上の各位置のＣＳ幹配線からの距離に応じて発生することを解消することができるという効果を奏する。【００６２】
本発明の表示駆動の制御方法は、上記課題を解決するために、複数の補助容量バスラインが、互いに位相がずれているとともに２つずつが互いに逆位相の関係にある、所定相数の２値レベルからなる駆動信号のいずれか１つによって駆動されるとともに、各上記駆動信号は１フレーム期間ごとにレベル反転され、各絵素に書き込まれるデータ信号の極性は、１フレームごとに反転されるとともに、各フレームにおいて複数の水平期間ずつ連続して同極性となるように反転される表示装置の表示駆動を制御する、表示駆動の制御方法であって、上記駆動信号の上記２値レベルを構成するＨｉｇｈレベルとＬｏｗレベルとの各レベルの持続する各期間を１つのサイクル期間として、各上記駆動信号の、絵素へのデータ信号の書き込みに使用開始される水平期間を含むサイクルから数えて同一番目となるサイクル期間に、上記２値レベルのＨｉｇｈレベルどうしとＬｏｗレベルどうしとの一方または両方について、上記同一番目となるサイクル期間の最初の水平期間から数えて他の上記駆動信号と異なる水平期間数だけ経過した後の水平期間である特異な水平期間が、絵素へのデータ信号の書き込みに割り当てられている場合に、上記特異な水平期間に絵素に書き込むデータ信号に対応する表示データを階調補正して表示ドライバに供給することを特徴としている。【００６３】
上記の発明によれば、表示データを階調補正することにより、特異な水平期間に絵素に書き込むデータ信号に対応する表示データが階調補正される。これにより、上記特異な水平期間にデータ信号が書き込まれた絵素の液晶印加電圧の実効値を、補助容量バスラインの各駆動信号の同一番目となるサイクル期間にデータ信号が書き込まれる他の絵素とほぼ揃えることができる。従って、表示パネルに均一なグレー表示を行った場合に、全ての絵素の輝度をほぼ揃えることができる。【００６４】
以上により、複数の相の駆動信号により補助容量バスラインが駆動される表示駆動の制御方法であって、特異な水平期間でデータ信号が絵素に書き込まれても、筋状の模様が生じるのを回避することのできる表示駆動の制御方法を実現することができるという効果を奏する。【００６５】
本発明の表示駆動の制御方法は、上記特異な水平期間は、以降に続く他のデータ信号の書き込みを行う水平期間の前に、絵素へのデータ信号の書き込みを行わないダミーの水平期間が設けられていることにより、上記同一番目となるサイクル期間の最初の水平期間から数えて他の上記駆動信号と異なる水平期間数だけ経過した後の水平期間として、絵素へのデータ信号の書き込みに割り当てられていることを特徴としている。【００６６】
上記の発明によれば、ダミーの水平期間によって、極性が反転したデータ信号によるデータ信号線の充電率を十分に確保しながら、筋状の模様を解消することができるという効果を奏する。【００６７】
本発明の表示駆動の制御方法は、表示データを階調補正するときに、供給される表示データの入力階調に応じた補正を行うことを特徴としている。【００６８】
上記の発明によれば、筋状の模様が強調されやすい入力階調を特に大きく補正することにより、筋状の模様を特に良好に解消することができるという効果を奏する。【００６９】
本発明の表示駆動の制御方法は、さらに、データ信号を書き込む絵素の表示パネル上での行位置に応じて、データ信号に対応する表示データを階調補正することを特徴としている。【００７０】
上記の発明によれば、補助容量バスラインのＣＳ幹配線に接続されるまでの距離ごとに階調補正を行うことができるので、列方向のグラデーションを解消することができるという効果を奏する。【００７１】
本発明の表示駆動の制御方法は、さらに、各絵素の表示パネル上での列位置に応じて、データ信号に対応する表示データを階調補正することを特徴としている。【００７２】
上記の発明によれば、同じ行に発生するグラデーションを、表示パネル上の各位置のＣＳ幹配線からの距離に応じて発生することを解消することができるという効果を奏する。
【発明の効果】
【００７３】
本発明の表示装置は、以上のように、複数の補助容量バスラインが、互いに位相がずれているとともに２つずつが互いに逆位相の関係にある、所定相数の、絵素の選択期間における電位が２値レベルからなる駆動信号のいずれか１つによって駆動されるとともに、各上記駆動信号は１フレーム期間ごとにレベル反転され、各絵素に書き込まれるデータ信号の極性は、１フレームごとに反転されるとともに、各フレームにおいて複数の水平期間ずつ連続して同極性となるように反転される表示装置であって、上記駆動信号の上記２値レベルを構成するＨｉｇｈレベルとＬｏｗレベルとの各レベルの持続する各期間を１つのサイクル期間として、各上記駆動信号の、絵素へのデータ信号の書き込みに使用開始される水平期間を含むサイクルから数えて同一番目となるサイクル期間に、上記２値レベルのＨｉｇｈレベルどうしとＬｏｗレベルどうしとの一方または両方について、上記同一番目となるサイクル期間の最初の水平期間から数えて他の上記駆動信号と異なる水平期間数だけ経過した後の水平期間である特異な水平期間が、絵素へのデータ信号の書き込みに割り当てられている場合に、上記特異な水平期間に絵素に書き込むデータ信号に対応する表示データを階調補正して表示ドライバに供給する補正手段を備えている。【００７４】
以上により、複数の相の駆動信号により補助容量バスラインが駆動される表示装置であって、特異な水平期間でデータ信号が絵素に書き込まれても、筋状の模様が生じるのを回避することのできる表示装置を実現することができるという効果を奏する。
【図面の簡単な説明】
【００７５】
【図１】本発明の実施形態を示すものであり、補正手段の構成を示すブロック図である。
【図２】図１の補正手段とともに表示制御基板に備えられるタイミングコントローラの構成を示すブロック図である。
【図３】本発明の実施形態を示すものであり、表示装置の構成を示すブロック図である。
【図４】図１の補正手段が行う入力階調の補正を説明する図である。
【図５】本発明の実施形態を示すものであり、表示パネルに発生するグラデーションを説明する平面図である。
【図６】図５のグラデーションを解消するための入力階調の補正を説明する図であり、（ａ）は絵素の行位置に応じた補正値、（ｂ）は絵素の列位置に応じた補正値を表す。
【図７】従来技術を示すものであり、マルチ絵素駆動方式の絵素の構成を示す回路図である。
【図８】従来技術を示すものであり、補助容量バスラインおよびＣＳ幹配線の配置を示す平面図である。
【図９】図８の絵素に供給する補助容量電圧の波形例を示す波形図である。
【図１０】従来技術を示すものであり、補助容量バスラインおよびＣＳ幹配線の構成を示す平面図である。
【図１１】図９における補助容量電圧のリップル電圧の波形を示す波形図である。
【図１２】従来技術を示すものであり、マルチ絵素駆動方式においてブロック反転駆動を行う場合のＣＳ幹配線と補助容量バスラインとの接続関係を示す結線図である。
【図１３】図１２の接続関係を有する構成における補助容量バスラインの駆動信号の波形を示すタイミングチャートである。
【図１４】図１３の駆動を行ったときに表示パネルに観測される筋状の模様を説明する平面図である。
【発明を実施するための形態】
【００７６】
本発明の一実施形態について図１ないし図６に基づいて説明すると以下の通りである。
【００７７】
図３に、本実施形態に係る液晶表示装置（表示装置）１の構成を示す。同図に示されるように、液晶表示装置１は、表示パネル２と、ＳＯＦ基板３と、複数のソースドライバ（表示ドライバ）ＳＤ…と、複数のゲートドライバＧＤ１…・ＧＤ２…と、フレキシブル配線４と、表示制御基板５とを備えている。なお、表示パネル２とその他の部材とが任意の組み合わせで１つのパネル上に実装されていてもよいし、ソースドライバＳＤ…と、ゲートドライバＧＤ１…・ＧＤ２…と、表示制御基板５との一部または全部が同じフレキシブルプリント基板などの外部基板に搭載されて、表示パネル２を備えたパネルに接続された構成でもよく、任意の配置が可能である。
【００７８】
表示パネル２は、図７、図８、および図１０で説明した副絵素ｓｐ１・ｓｐ２からなる絵素Ｐがマトリクス状に配置された領域であるアクティブエリアＡＡと、複数のゲートバスラインＧＬ…と、複数のソースバスラインＳＬ…と、複数の補助容量バスラインＣｓＬ１…・ＣｓＬ２…と、２つのＣＳ幹配線群ＢＢ・ＢＢとを備えている。また、ＣＳ幹配線群ＢＢ・ＢＢの構成、および、ＣＳ幹配線群ＢＢ・ＢＢと補助容量バスラインＣｓＬとの接続関係は図１２と同じであるとし、ＣＳ幹配線群ＢＢ・ＢＢの駆動波形は図１３と同じであるとする。
【００７９】
図７と同様に、ゲートバスラインＧＬとソースバスラインＳＬ…とは、互いに交差するように設けられて絵素Ｐに接続されており、補助容量バスラインＣｓＬ１・ＣｓＬ２は副絵素ｓｐ１・ｓｐ２に接続されている。一方のＣＳ幹配線群ＢＢはアクティブエリアＡＡに対して、補助容量バスラインＣｓＬ（ＣｓＬ１とＣｓＬ２との総称）の延びる方向のうちの一方側に隣接する領域に設けられている。他方のＣＳ幹配線群ＢＢはアクティブエリアＡＡに対して、補助容量バスラインＣｓＬの延びる方向のうちの他方側に隣接する領域に設けられている。補助容量バスラインＣｓＬはＣＳ幹配線群ＢＢ・ＢＢに接続されている。ＣＳ幹配線群はいずれか一方のみでもよい。
【００８０】
ソースドライバＳＤ…とゲートドライバＧＤ１…・ＧＤ２…とはＳＯＦ(System On Film)の形態で表示パネル２に接続されている。ここではソースドライバＳＤ…は表示パネル２の一辺にのみ接続されており、ソースドライバＳＤ…が接続されている辺と直交するほうの一辺にゲートドライバＧＤ１…が、他辺にゲートドライバＧＤ２…がそれぞれ接続されているが、特にこれらの配置の仕方に制限はない。また、ソースドライバＳＤ…はＳＯＦ基板３に接続されており、ＳＯＦ基板３から各ソースドライバＳＤに対応する表示データが供給されるようになっている。
【００８１】
ＳＯＦ基板３はフレキシブル配線４を介して表示制御基板５に接続されている。表示制御基板５は、ＦＰＧＡ(Field Programmable Logic Array)５０およびタイミングコトンローラ５１・５２を備えており、ソースドライバＳＤ…およびゲートドライバＧＤ１…・ＧＤ２…が使用するタイミング信号、ソースドライバＳＤ…が使用する表示データ、および、ＣＳ幹配線群ＢＢ・ＢＢが使用する補助容量電圧を供給する。ゲートドライバＧＤ１…・ＧＤ２…が使用するタイミング信号、および、ＣＳ幹配線群ＢＢ・ＢＢが使用する補助容量電圧は、ＳＯＦ基板３およびソースドライバＳＤ…のＳＯＦ上を介して表示パネル２内に供給される。
【００８２】
図１に、ＦＰＧＡ（補正手段）５０の構成を示す。なお、ＦＰＧＡ５０はＡＳＩＣで構成されていてもよい。ＦＰＧＡ５０は、ＬＶＤＳレシーバ５０ａ、ゴーストリダクション部５０ｂ、クロストーク補正部５０ｃ、半絵素すじ補正部５０ｄ、ＬＶＤＳドライバ５０ｅ、および、ＢｉＤＳタイミング制御回路５０ｆを備えている。
【００８３】
ＬＶＤＳレシーバ５０ａは映像源からＬＶＤＳ(Low Voltage Differential Signaling)によってシリアル伝送される表示データを受信し、ＲＧＢの各表示データをパラレルに出力する。ゴーストリダクション部５０ｂは表示データからゴースト成分を除去する処理を行う。クロストーク補正部５０ｃは表示装置上で生じる各種クロストークを補正する。半絵素すじ補正部５０ｄは、補助容量バスラインＣｓＬの各駆動信号ＣＳ１〜ＣＳ１２の、同一番目のサイクルにおける２値レベルのＨｉｇｈレベルどうしとＬｏｗレベルどうしとの一方または両方について、同一番目となるサイクル期間の最初の水平期間から数えて他の上記駆動信号と異なる水平期間数だけ経過した後の水平期間である特異な水平期間が、絵素へのデータ信号の書き込みに割り当てられている場合に、特異な水平期間に絵素に書き込むデータ信号に対応する表示データを階調補正する。前述の図１４に示した筋状の模様を半絵素すじと呼ぶこととすると、半絵素すじ補正部５０ｄはこの半絵素すじを解消する機能を有する。ＬＶＤＳドライバ５０ｅは、半絵素すじ補正部５０ｄから出力された、階調補正されたＲＧＢのデータを、ＬＶＤＳによってタイミングコントローラ５１・５２に供給する。
【００８４】
ＢｉＤＳタイミング制御回路５０ｆは、ブロック反転駆動の補助容量電圧である駆動信号ＣＳ１〜ＣＳ１２、および、データ信号の極性反転指示信号を生成して出力する。
【００８５】
図２に、タイミングコントローラ５１・５２の構成を示す。タイミングコントローラ５１とタイミングコントローラ５２とは同じ構成であるので、ここでは代表してタイミングコントローラ５１について説明する。なお、タイミングコントローラ５１は表示パネル２の一方の半分側の駆動回路、ここでは紙面左側のソースドライバＳＤ…、ゲートドライバＧＤ１…および、ＣＳ幹配線群ＢＢ用の信号やデータを処理してこれらに供給し、タイミングコントローラ５２は表示パネル２の他方の半分側の駆動回路、ここでは紙面右側のソースドライバＳＤ…、ゲートドライバＧＤ２…および、ＣＳ幹配線群ＢＢ用の信号やデータを処理してこれらに供給する。
【００８６】
タイミングコントローラ５１は、ＬＶＤＳレシーバ５１ａ、ガンマ補正部５１ｂ、オンスクリーンミキサ５１ｃ、データ送信ドライバ５１ｄ、フレームメモリ５１ｅ、および、タイミング制御回路５１ｆを備えている。
【００８７】
ＬＶＤＳレシーバ５１ａは、ＬＶＤＳドライバ５０ｅから出力されたＲＧＢの表示データを受信する。ガンマ補正部５１ｂは、ＬＶＤＳレシーバ５１ａから受け取ったＲＧＢの表示データのガンマ補正を行う。オンスクリーンミキサ５１ｃは、フレームメモリ５１ｅに格納されている字幕などの表示画面に重畳するデータを合成する。データ送信ドライバ５１ｄは、オンスクリーンミキサ５１ｃから出力されたＲＧＢの表示データを、ＲＳＤＳ(Reduced Swing Differential Signaling)、ＰＰＤＳ(Point To Point Differential Signaling)、ＭｉｎｉＬＶＤＳなどの表示パネル２までの伝送に適したシリアルデータに変換して出力する。
【００８８】
タイミング制御回路５１ｆは、ソースドライバＳＤ…およびゲートドライバＧＤ１…（タイミングコントローラ５２の場合にはゲートドライバＧＤ２…）が使用する、クロック信号およびスタートパルス信号などのタイミング信号を生成して出力する。
【００８９】
次に、図４に、前記半絵素すじ補正部５０ｄによる表示データの階調補正の詳細を示す。
【００９０】
階調補正は、半絵素すじ補正部５０ｄに供給されるＲＧＢの表示データの入力階調に応じて行う。例えば入力階調が１０ビットの１０２４階調からなるとき、入力階調が０〜９の場合には補正を行わず、入力階調が１０〜３９の場合には０．２５階調だけ増加させる補正を行い、入力階調が４０〜５１１の場合には０．７５階調だけ増加させる補正を行い、入力階調が５１２〜１０２３の場合には補正を行わない。補正する大きさである補正値はこのように例えば４分の１階調を最小単位とし、このより細かい階調をフレームレートコントロールで生成する。
【００９１】
図４において補正値が階調範囲によって異なっているのは、表示データのガンマ曲線の状態に起因したものであり、中央から低階調側（黒表示側）のある範囲で大きくなっている。
【００９２】
上記のように入力階調の階調補正を行うことにより、図１３において絵素ＰＩＸ２４や絵素ＰＩＸ４８で示したような、特異な水平期間に絵素に書き込むデータ信号に対応する表示データが階調補正される。これにより、上記特異な水平期間にデータ信号が書き込まれた絵素の液晶印加電圧の実効値を、各駆動信号ＣＳ１〜ＣＳ１２の同一番目となるサイクル期間にデータ信号が書き込まれる他の絵素ＰＩＸとほぼ揃えることができる。従って、表示パネル２に均一なグレー表示を行った場合に、全ての絵素の輝度をほぼ揃えることができるので、半絵素すじを解消することができる。
【００９３】
また、上記例では、各絵素が複数の副絵素で構成されているとともに、１つの絵素の副絵素のそれぞれは互いに異なる補助容量バスラインとの間で形成された補助容量を有している表示パネル２をマルチ絵素駆動するので、半絵素すじが解消されることにより、複数の副絵素を用いた階調反転現象の広視覚範囲での改善を正確に行うことができる。
【００９４】
また、上記例では、上記特異な水平期間は、以降に続く他のデータ信号の書き込みを行う水平期間の前に、絵素へのデータ信号の書き込みを行わないダミーの水平期間が設けられていることにより、上記同一番目となるサイクル期間の最初の水平期間から数えて他の上記駆動信号と異なる水平期間数だけ経過した後の水平期間として、絵素へのデータ信号の書き込みに割り当てられている。従って、ダミーの水平期間によって極性が反転したデータ信号によるデータ信号線の充電率を十分に確保しながら、半絵素すじを解消することができる。
【００９５】
また、上記例では、半絵素すじ補正部５０ｄは、表示データを階調補正するときに、供給される表示データの入力階調に応じた補正を行うので、半絵素すじが強調されやすい入力階調を特に大きく補正することにより、半絵素すじを特に良好に解消することができる。
【００９６】
また、半絵素すじ補正部５０ｄは、さらに、上記特異な水平期間にデータ信号が書き込まれる絵素を含む行以外について、データ信号を書き込む絵素の表示パネル２上での行位置に応じて、データ信号に対応する表示データを階調補正してもよい。図８〜図１１を用いて前述したように、各補助容量バスラインＣＳＬがＣＳ幹配線ｂｂに接続されるまでの距離は、ＣＳ幹配線ｂｂごとに異なるため、補助容量バスラインＣＳＬの配線遅延が、どのＣＳ幹配線に接続されるかで異なり、均一なグレー表示を行ったときでも、半絵素すじに加えて図５に示すようなグラデーションが観測される場合がある。従って、このような場合に、半絵素すじ補正部５０ｄが図６の（ａ）・（ｂ）に示すような各階調補正を行うことにより、上記グラデーションを解消することができる。この補正に、半絵素すじの解消用の補正が含まれていてよい。
【００９７】
図６の（ａ）では、各絵素が各単位の何行目に位置するかで補正値を変えるようにしている。階調を増加させる場合に＋、減少させる場合に−と記載してある。これにより、補助容量バスラインＣＳＬのＣＳ幹配線ｂｂに接続されるまでの距離ごとに階調補正を行うことができるので、列方向（走査方向）のグラデーションを解消することができる。さらに、図６の（ｂ）では、上記グラデーションが同じ行でも表示パネル２のＣＳ幹配線ｂｂからの距離に応じて発生することを解消するために、絵素の水平方向の位置、すなわち絵素の列位置に応じても、補正値を変える。ここでは特に、ＣＳ幹配線ｂｂに近い側ほど補正値を大きくしてある。
【００９８】
なお、上記図６の（ａ）・（ｂ）の補正値は図４と同様の補正値である。
【００９９】
以上、本実施形態について説明した。
【０１００】
なお、上記例では、補助容量バスラインＣｓＬの駆動信号がＨｉｇｈレベルとＬｏｗレベルとの２値レベルからなるものとしたが、これに限ることなく、一般には、当該駆動信号は絵素の選択期間における電位がＨｉｇｈとＬｏｗとの２値レベルからなるものであればよい。例えば、絵素の選択期間外において、駆動信号がＬｏｗ側からＨｉｇｈ側へレベル反転するときに、初期に上記Ｈｉｇｈレベルよりも高いレベルの電位となるとともに、駆動信号がＨｉｇｈ側からＬｏｗ側へレベル反転するときに、初期に上記Ｌｏｗレベルよりも低いレベルの電位となるような、４値レベルの駆動信号についても本発明が適用可能である。上記４値レベルの駆動信号は、例えば補助容量バスラインＣｓＬをオーバードライブするものであって、ＣＳ幹配線ｂｂや補助容量バスラインＣｓＬによる配線遅延を改善する効果を有するものであるが、オーバーシュート期間となる上記のより高いレベルの期間、および、アンダーシュート期間となる上記のより低いレベルの期間を除いたサイクル期間における特異な水平期間とは重複しない期間であり、本発明の階調補正に対しては直接には影響を与えない。
【０１０１】
また、１つの絵素に含まれる副絵素は一般に複数でよく、補助容量バスラインＣｓＬの数が変更されるだけであるので、本実施形態のリップル電圧を揃える構成をそのまま適用することができる。
【０１０２】
また、本実施形態の構成を、マルチ絵素駆動を行わない他の駆動方式の表示装置に適用することもできる。例えば、各絵素に１本の補助容量バスラインＣｓＬが割り当てられており、各補助容量バスラインＣｓＬが、互いに異なる駆動信号で駆動される所定数のＣＳ幹配線ｂｂのいずれかに接続される構成が挙げられる。
【０１０３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０４】
本発明は、液晶テレビジョン装置などに好適に使用することができる。
【符号の説明】
【０１０５】
１            液晶表示装置（表示装置）
２            表示パネル
２２ａ、２２ｂ
補助容量
５０          ＦＰＧＡ（補正手段）
Ｐ、ＰＩＸ    絵素
ＳＤ          ソースドライバ（表示ドライバ）
ｓｐ１、ｓｐ２、ｓｐａ、ｓｐｂ
副絵素
ＡＡ          アクティブエリア
ＣｓＬ        補助容量バスライン
ＢＢ          ＣＳ幹配線群
ｂｂ          ＣＳ幹配線
ＣＳ１〜ＣＳ１２
駆動信号
【図１】
2010038524.tif 000003
【図２】
2010038524.tif 000004
【図３】
2010038524.tif 000005
【図４】
2010038524.tif 000006
【図６】
2010038524.tif 000007
【図７】
2010038524.tif 000008
【図８】
2010038524.tif 000009
【図９】
2010038524.tif 000010
【図１０】
2010038524.tif 000011
【図１１】
2010038524.tif 000012
【図１２】
2010038524.tif 000013
【図１３】
2010038524.tif 000014
【図５】
2010038524.tif 000015
【図１４】
2010038524.tif 000016
【国際調査報告】
2010038524.tif 000017
2010038524.tif 000018
2010038524.tif 000019